(57)【特許請求の範囲】
【請求項１】
第１導光パネルと第２導光パネルが遮光層を挟んで重ね合わされて一体化されたパネル型照明器具であって、
第１導光パネルの端面に第１光源モジュールが取り付けられていて、第１光源モジュールのＬＥＤランプから生じる光が第１導光パネルに入射し、第１導光パネルの主面から拡散光が出射し、
第２導光パネルの端面に第２光源モジュールが取り付けられていて、第２光源モジュールのＬＥＤランプから生じる光が第２導光パネルに入射し、第２導光パネルの主面から拡散光が出射し、
第１導光パネルの主面と反対側の面および第１光源モジュールを含む全周囲部分が第１外囲器に覆われ、
第２導光パネルの主面と反対側の面および第２光源モジュールを含む全周囲部分が第２外囲器に覆われ、
第１、第２パネル外囲器が背中合わせに接合されて一体化されており、
第１光源モジュールと第２光源モジュールは個別に点灯・消灯可能である
パネル型照明器具。
【請求項２】
第１、第２導光パネルは、それぞれ、厚い透明パネルと、薄い拡散用パネルとを重ねて接合したものであり、透明パネルの端面にＬＥＤランプが光結合し、拡散用パネルが主面を形成している
請求項１に記載のパネル型照明器具。
【請求項３】
第１、第２導光パネルはそれぞれ長方形をなし、第１、第２光源モジュールは長方形の対向する２つの長辺部分に取り付けられている
請求項１に記載のパネル型照明器具。
【請求項４】
第１、第２光源モジュールの発光色が異なる
請求項１に記載のパネル型照明器具。
【請求項５】
第１、第２光源モジュールの明るさを個別に制御可能である
請求項１に記載のパネル型照明器具。
【請求項６】
第１、第２光源モジュールの発光色を個別に制御可能である
請求項１または５に記載のパネル型照明器具。
【請求項７】
第１、第２光源モジュールは、導光パネルとの接合面と反対側にヒートシンクを備える
請求項１に記載のパネル型照明器具。
【請求項８】
第２外囲器に吊り下げ器具が取り付けられており、第１導光パネルの主面を下向きにして当該パネル型照明器具を天井から吊り下げ設置できる
請求項１に記載のパネル型照明器具。
【請求項９】
第１、第２導光パネルの主面と反対側の面および第１、第２光源モジュールのヒートシンクを除いた全周囲部分が内部ケースに覆われており、ヒートシンクは内部ケースの外側に取り付けられている
請求項１に記載のパネル型照明器具。
【発明の詳細な説明】
【技術分野】
【０００１】
この発明は、アクリル板などの導光パネルの端面にＬＥＤランプを光結合し、導光パネルの端面から入射させた光を導光パネルの全面から拡散出射させるタイプのパネル型照明器具の応用技術に関し、とくに、パネルの両面から個別に制御された照明光を発生するものに関するものである。
【背景技術】
【０００２】
特開２００９−２４５９０２号公報「面状照明装置及びそれを用いる液晶装置」、特開２００５−３８８２２号公報「フラットパネルディスプレイ用照明装置、および、発光ランプ」、特開２００８−２１５０６号公報「照明パネル」、特開２００８−２７７５６号公報「導光板、これを用いる面状照明装置および液晶表示装置」などに記載されているように、導光パネルの端面から入射させた光をパネル全面から拡散出射させるタイプの照明技術が液晶表示装置のバックライトや一般的な照明器具として用いられており、多方面にわたる種々の技術改良が積み重ねられている。
【発明の開示】
【０００３】
以下に詳述するこの発明に係るパネル型照明器具は、ホテルやオフィスビルあるいは一般の住居などにおいて、典型的な利用形態として、たとえば、つぎのような形態で利用されるものである。この発明のパネル型照明器具を天井下に天井面と平行に吊り下げ設置する。このパネル型照明器具の下面が発光して下方を照明するとともに、上面も発光して天井面を照らして間接照明となる。下面の発光と上面の発光は独立して点灯・消灯することができる。下面だけを発光させる場合、上面は発光しない。上面だけを発光させる場合、下面は発光しない。
【０００４】
この発明に係るパネル型照明器具は以上のような特徴を有するもので、その構成は、つぎの要件（１）〜（４）により特定されるものである。  
（１）第１導光パネルと第２導光パネルが遮光層を挟んで重ね合わされて一体化されたパネル型照明器具であること
（２）第１導光パネルの端面に第１光源モジュールが取り付けられていて、第１光源モジュールのＬＥＤランプから生じる光が第１導光パネルに入射し、第１導光パネルの主面から拡散光が出射すること
（３）第２導光パネルの端面に第２光源モジュールが取り付けられていて、第２光源モジュールのＬＥＤランプから生じる光が第２導光パネルに入射し、第２導光パネルの主面から拡散光が出射すること
（４）第１光源モジュールと第２光源モジュールは個別に点灯・消灯可能であること
【図面の簡単な説明】
【０００５】
【図１】一実施例によるパネル型照明器具の斜視図である。
【図２】同上パネル型照明器具の概略断面図である。
【図３】同上パネル型照明器具の上面図である。
【図４】同上パネル型照明器具の正面図である。
【図５】同上パネル型照明器具の側面図である。
【図６】同上パネル型照明器具の詳細断面図である。
【発明を実施するための形態】
【０００６】
＝＝＝全体的な構成＝＝＝
図１〜図６にこの発明の一実施例による吊り下げ式のパネル型照明器具の構成を示している。このパネル型照明器具は、上パネル１ａと下パネル１ｂとを背中合わせに接合して一体化したもので、全体が長方形の薄いパネル型に形成されている。上パネル１ａの上面側の２個所に帯板製の保持部材２１が取り付けられており、保持部材２１の中央に吊り下げ棒２２がパネルに垂直に取り付けられている。この吊り下げ棒２２の上端を天井に取り付けて、このパネル型照明器具を天井下に天井面と平行に吊り下げ設置する。
【０００７】
＝＝＝上パネル１ａの構成＝＝＝
上パネル１ａの内部の構成が図６に詳しく示されている。導光パネルは、厚い透明パネル２ａの片面に薄い拡散用パネル３ａを重ねて接合したものである。拡散用パネル３ａは、乳白色の半透明のアクリル板を用いている。以下では、導光パネル２ａ・３ａとも表記する。
【０００８】
透明パネル２ａの対向する２つの長辺にあたる端面部分に光源モジュール４ａが配設されている。光源モジュール４ａは、細長い配線基板にチップ型のＬＥＤランプを複数個並べて実装したものであり、これらＬＥＤランプから発せられる光が透明パネル２ａの長辺端面からほぼ均等に透明パネル２ａに入射する。
【０００９】
透明パネル２ａと拡散パネル３ａを積層した導光パネルと、これの２つの長辺部分にあてがわれた２つの光源モジュール４ａは、アルミニウム板製の内部ケール５ａに収納されている。内部ケース５ａは、長方形の底面板と四辺の側面板とからなる偏平な弁当箱のような形状であり、透明パネル２ａが内部ケース５ａの底面板に接し、拡散パネル３ａが内部ケース５ａの長方形の開口に配置されている。この拡散パネル３ａの面が前述した主面である。
【００１０】
導光パネル２ａ・３ａおよび２つの光源モジュール４ａを収納した内部ケース５ａに対し、その２つの長辺部分にアルミニウム押し出し成形材からなるヒートシンク６ａが組み合わされている。ヒートシンク６ａのチャンネル型の部分で内部ケース５ａと導光パネル２ａ・３ａの縁部が挟み込まれている。ヒートシンク６ａの反対側には放熱フィンが形成されている。これにより光源モジュール４ａからの発熱を効率よく放散する。
【００１１】
以上のように組み合わされた導光パネル２ａ・３ａと光源モジュール４ａと内部ケース５ａとヒートシンク６ａの全体が、パネル外囲器７ａに収納されて一体化され、上パネル１ａを構成している。パネル外囲器７ａは、内部ケース５ａより少し大きな弁当箱形状をしており、開口縁部が少し内側に折り曲げられている。
【００１２】
＝＝＝下パネル１ｂの構成＝＝＝
図６に詳しく示されているように、下パネル１ｂは上パネル１と上下対称の同じ構成となっている。つまり、導光パネルは、厚い透明パネル２ｂの片面に薄い拡散用パネル３ｂを重ねて接合したものである。拡散用パネル３ｂは、乳白色の半透明のアクリル板を用いている。以下では、導光パネル２ｂ・３ｂとも表記する。
【００１３】
透明パネル２ｂの対向する２つの長辺にあたる端面部分に光源モジュール４ｂが配設されている。光源モジュール４ｂは、細長い配線基板にチップ型のＬＥＤランプを複数個並べて実装したものであり、これらＬＥＤランプから発せられる光が透明パネル２ｂの長辺端面からほぼ均等に透明パネル２ｂに入射する。
【００１４】
透明パネル２ｂと拡散パネル３ｂを積層した導光パネルと、これの２つの長辺部分にあてがわれた２つの光源モジュール４ｂは、アルミニウム板製の内部ケール５ｂに収納されている。内部ケース５ｂは、長方形の底面板と四辺の側面板とからなる偏平な弁当箱のような形状であり、透明パネル２ｂが内部ケース５の底面板に接し、拡散パネル３ｂが内部ケース５ｂの長方形の開口に配置されている。この拡散パネル３ｂの面が前述した主面である。
【００１５】
導光パネル２ｂ・３ｂおよび２つの光源モジュール４ｂを収納した内部ケース５ｂに対し、その２つの長辺部分にアルミニウム押し出し成形材からなるヒートシンク６ｂが組み合わされている。ヒートシンク６のチャンネル型の部分で内部ケース５ｂと導光パネル２ｂ・３ｂの縁部が挟み込まれている。ヒートシンク６ｂの反対側には放熱フィンが形成されている。これにより光源モジュール４ｂからの発熱を効率よく放散する。
【００１６】
以上のように組み合わされた導光パネル２ｂ・３ｂと光源モジュール４ｂと内部ケース５ｂとヒートシンク６ｂの全体が、パネル外囲器７ｂに収納されて一体化され、上パネル１ｂを構成している。パネル外囲器７ｂは、内部ケース５ｂより少し大きな弁当箱形状をしており、開口縁部が少し内側に折り曲げられている。
【００１７】
＝＝＝上パネル１ａと下パネル１ｂの接合＝＝＝
上パネル１ａと下パネル１ｂは、互いのパネル外囲器７ａと７ｂの底面板を接触させるように背中合わせで接合して一体化され、パネル型照明器具を構成している。上パネル１ａの光源モジュール４ａの配線と下パネル１ｂの光源モジュール４ｂの配線は、独立した配線になっており、この実施例においては吊り下げ棒２２に沿って外部に導かれている。このパネル型照明器具を前述のように天上下に吊り下げ配置し、上パネル１ａの配線と下パネル１ｂの配線を天井裏の照明用電源に別々に接続する。照明用電源は、上パネル用スイッチにより上パネル１ａの光源モジュール４ａを点灯・消灯させ、下パネル用スイッチにより下パネル１ｂの光源モジュール４ｂを点灯・消灯させる。
【００１８】
＝＝＝照明の形態＝＝＝
上パネル用スイッチにより光源モジュール４ａを点灯させると、透明パネル２ａに端面からＬＥＤランプの光が入射し、拡散用パネル３ａの全面から光が分散出射する。つまり、上パネル１ａの上面の全体から照明光が発散する。このとき、光源モジュール４ａからの光がパネル型照明器具の内部を透過することはなく、光源モジュール４ａからの光が下パネル１ｂの下面の拡散パネル３ｂ側にもれだすことはない。
【００１９】
また、下パネル用スイッチにより光源モジュール４ｂを点灯させると、透明パネル２ｂに端面からＬＥＤランプの光が入射し、拡散用パネル３ｂの全面から光が分散出射する。つまり、上パネル１ｂの下面の全体から照明光が発散する。このとき、光源モジュール４ｂからの光がパネル型照明器具の内部を透過することはなく、光源モジュール４ｂからの光が上パネル１ａの下面の拡散パネル３ａ側にもれだすことはない。
【００２０】
＝＝＝発光の特性＝＝＝
この実施例においては、上パネル１ａの発光色と下パネル１ｂの発光色を異ならせている。具体的には、上配光の色温度を５５００Ｋとし、下配光の色温度を３５００Ｋとしている。そのため、上下パネルの光源モジュール４ａと４ｂを同時に点灯させると、色温度の高い上配光が直接目に入らずに天上面に反射する完全な間接照明として作用し、色温度の低い下配光が天井下に離れているパネルから面照明として作用する。これにより、ごく薄いパネル型照明器具によってこれまでにない新鮮な照明環境を醸し出すことができる。
【００２１】
＝＝＝他の実施形態＝＝＝
（Ａ）色温度だけでなく、上下パネルの光源モジュール４ａと４ｂの明るさに差をつけてもよい。周知のように、光源モジュールのＬＥＤランプとしてたとえば白色ランプとＲＧＢランプを混合して配設し、これらの多色ランプの明るさを個別制御することで、明るさと発光色を自由に変化させることができる。そこで、上下パネルの光源モジュール４ａと４ｂをそれぞれ独立して調光（明るさと色）できるように構成すれば、上配光と下配光の組み合わせにより多彩な照明を演出することができる。
【００２２】
（Ｂ）天井下に天井面に平行に設置することに代え、壁面から少し離して壁面と平行に設置することで、壁面による間接照明と、正面からの面照明との組み合わせを演出することができる。このパネル型照明器具を間仕切りのように設置し、仕切られた空間の両側を独立制御される面照明で演出することができる。
【００２３】
＝＝＝発明の効果＝＝＝
この発明によれば、ごく薄いパネル型照明器具により両面にて面照明を行えるだけでなく、両面の面照明を独立して点灯・消灯することができ、器具内を通しての光のもれはない。このパネル型照明器具の設置形態を工夫することにより、裏面の配光を間接照明として利用し、正面の配光を直接的な面照明として利用するなど、斬新で多彩な照明環境をつくり出すことができる。
【符号の説明】
【００２４】
１ａ  上パネル
１ｂ  下パネル
２ａ・２ｂ  透明パネル
３ａ・３ｂ  拡散用パネル
４ａ・４ｂ  光源モジュール
５ａ・５ｂ  内部ケース
６ａ・６ｂ  ヒートシンク
７ａ・７ｂ  パネル外囲器
２１  保持部材
２２  吊り下げ棒
【図１】
0005441622.tif 000002
【図２】
0005441622.tif 000003
【図３】
0005441622.tif 000004
【図４】
0005441622.tif 000005
【図５】
0005441622.tif 000006
【図６】
0005441622.tif 000007